(57)【要約】耳が露出した状態で無蓋車輌に乗る搭乗者には、前方から来る風が耳たぶに当たることにより、風切り音が聞える。  本発明では、搭乗者の耳の前方に風防Ａ（１）を設置し、更に風防Ａ（１）と耳穴（５）の間に遮音板（２）を設置する。前方より来る風が風防Ａ（１）に遮られて耳たぶ（４）に当たらなくなることにより、風切り音は消える。副作用として、風が風防Ａ（１）に当たることによって風防Ａ（１）が振動し、これが新たな音源となる。遮音板（２）でこの音は遮断されて、搭乗者の耳穴（５）には到達しない。  以上の作用により、風が作り出す音の全てが軽減される。耳の大部分が外気に開放されているので放熱性は十分あり、周囲の音は減衰されることなく聞える。  必要に応じて、風防Ａ（１）の前方に風防Ｂ（２５）を設置する。これは、風防Ａ（１）および遮音板（２）の小型化、簡素化を可能とする。
2007077983.tif 000002
【特許請求の範囲】
【請求項１】
前方より定常的な風を耳たぶに受ける人物の耳付近に固定される風防Ａ（１）と遮音板（２）を備え、風防Ａ（１）、遮音板（２）とも左右それぞれに１枚以上を有し、風防Ａ（１）は人物の耳たぶ（４）前方を、或いは前方から側方にかけてを覆い、遮音板（２）は耳穴（５）と風防Ａ（１）の間に位置し、風防Ａ（１）と遮音板（２）は人物の耳たぶ（４）に接触することなく、使用時に人物の耳たぶ（４）が後方より見えることを特徴とする、風切り音を軽減する装置。
【請求項２】
前項目における風防Ａ（１）と遮音板（２）とが同一の連続した部材で作られており、その前方が風防の役割を果たす部位（１６）、後方が遮音板の役割を果たす部位（１７）となっていることを特徴とする、風切り音を軽減する装置。
【請求項３】
請求項１または同２に加えて、風防Ａ（１）の前方に風防Ｂ（２５）を備えていることを特徴とする、風切り音を軽減する装置。風防Ｂ（２５）は、その前縁の最前部が耳穴（５）の中心より５ｃｍ以上前方にあることを特徴とする。
【請求項４】
請求項３から風防Ａ（１）と遮音板（２）の片方、または両方を取り除いたことを特徴とする、風切り音を軽減する装置。
【請求項５】
請求項３において、風防Ａ（１）と風防Ｂ（２５）を一体化させた風防（３５）で置き換えたことを特徴とする、風切り音を軽減する装置。
【請求項６】
請求項５から遮音板（２）を取り除いたことを特徴とする、風切り音を軽減する装置。
【請求項７】
厚さ２ｃｍ以上の顎紐を備えるヘルメット（３）に風防Ｂ（２５）を設置することを特徴とする、風切り音を軽減する装置。
【請求項８】
請求項７に遮音板（２）を加えて設置することを特徴とする、風切り音を軽減する装置。
【請求項９】
請求項１より８において、一部または全部の風防および遮音板（２）が使用者の着用するヘルメットと一体化されていることを特徴とする風切り音を軽減する装置。
【発明の詳細な説明】
【技術分野】
【０００１】
本発明は、風防を用いて、無蓋の乗り物の搭乗者に聞こえる風切り音を軽減する装置に関するものである。
【背景技術】
【０００２】
以下の説明にて、左右、上下、前後なる方向を示す言葉は、頭部が直立した状態の使用者に本発明の装置を装着し、使用者にとっての各方向が装置の各方向を示すものとする。外側、内側なる表現は、使用者の体から遠い側を外側、近い側を内側とする。即ち、左耳付近に装着する部材に関しては左が外側、右が内側となる。頭部とは、首より上を指す。
周囲の音とは、使用者に聞える音のうち、使用者の耳付近で発生する音を除いた音のことである。
耳が露出した状態で無蓋の乗り物に乗る搭乗者には、前方より来る風がその耳たぶ（４）に当たる為、風切り音が聞こえる。これによって、以下２つの不都合が発生する。
１．周囲の音が聞えにくくなることにより、運転上の危険が増す。特に、後方からの車輛接近に気づかなくなることの影響が大きい。
２．常時、風切り音が聞えることが、搭乗者の心理的負担、或いは難聴の原因となる。
搭乗者の耳たぶ（４）全体をヘルメットの帽体、或いは布製、皮製のカバーで覆った場合、前項目で説明した風切り音は発生しない。しかし、周囲の音が聞き取りにくい、という不都合が発生する。また、使用者の耳付近の放熱性が悪いため、夏季にこれらを着用することは、苦痛となる。
上記で述べた耳たぶ（４）全体を覆う布製又は皮製のカバーには、耳穴（５）付近に音を通す穴を設けたモデルが存在する。日本実願平８−１１５５６号の請求項４は、その一例である。これらは、周囲の音が聞き取りにくいという不都合は解消される。しかし、使用者の耳付近の放熱性が悪いという欠点は依然として存在する。
アメリカ合衆国特許  ５，３２３；４９３号の請求項１、３においては、以下の欠点がある。即ち、
風防Ａ（１）によって、耳たぶ（４）に当たる風は軽減され、装置不使用時に聞える風切り音は消える。しかし、風防Ａ（１）が前方より来るに振動させられて高周波の音を発生し、それが使用者に聞えるという、新たな不都合が生じる。この音が聞えないようにするには、振動減衰性に優れた風防Ａ（１）を作らなければならない。実際には十分な減衰性が得られず、高周波の音が発生して、それが使用者に聞こえることが多い。尚、本発明における風防Ａ（１）は、同特許におけるａｉｒ  ｄｅｆｌｅｃｔｏｒに相当する。
【発明の開示】
【発明が解決しようとする課題】
【０００３】
以下４つの特徴を備えることを、本発明装置の目的とする。
１．風切り音を軽減する。
２．周囲の音が減衰されることなく使用者の耳に届く。
３．使用者の耳付近の放熱性を確保する。
４．装置が新たな音を作り出した場合、それが使用者に聞こえないようにする。
【課題を解決するための手段】
【０００４】
使用者の耳（５）の前方に風防Ａ（１）と遮音板（２）を設置し、固定する。風防Ａ（１）は使用者の耳たぶ（４）を前方から、或いは前方から側方にかけて覆い、遮音板（２）は耳穴（５）と風防Ａ（１）の間に位置する。耳全体を覆うカバーは、備えない。風防Ａ（１）と遮音板（２）は耳たぶ（４）に接触しない。耳の大部分は外気に開放されており、使用者の耳たぶ（４）が後方より見えることを特徴とする。
必要に応じて、風防Ａ（１）の前方かつヘルメット（３）の下方に風防Ｂ（２５）を加えて設置する。あるいは、風防Ｂ（２５）を設置し、風防Ａ（１）遮音板（２）の片方または両方を省略する。風防Ａ（１）と風防Ｂ（２５）の差異は、後述の発明を実施する為の最良の形態、実施例にて記す。
【発明の効果】
【０００５】
前方より来る風は、風防Ａ（１）によってせき止められ、使用者の耳たぶ（４）、耳穴（５）には到達しない。これにより、装置を使用する以前に聞えていた風切り音は消滅する。同時に副作用として、風防Ａ（１）が前方より来る風によって振動させられ高周波数の音を発生する。
前方より来る風は風防Ａ（１）にせき止められ、遮音板（２）には到達しない。従って、遮音板（２）は振動せず音を発生しない。前述の風防Ａ（１）が振動して発生する音は、遮音板（２）で遮断され、使用者の耳穴（５）には到達しない。
以上の作用により、前方より来る風によって作られる音は、使用者に聞えない。
使用者の耳たぶ（４）の大部分が外気に開放されているので、付近の放熱性は確保される。同じ理由により、周囲の音は減衰されることなく使用者の耳穴（５）に届く。
アメリカ合衆国特許５，３２３，４９３  請求項１、３と比較した場合、本発明では風防Ａ（１）が振動しても良い為、その軽量化、簡素化が実現できる。
副二次的な効果として、遮音板（２）の後ろ側が、使用者の後方で発生する音を反射するため、使用者には後方の音がよりよく聞える。同じく副二次的な効果として、風防Ａ（１）と遮音板（２）が衝撃緩衝材となり、事故発生時に使用者の頭部側面を保護する作用がある。
風防Ｂ（２５）設置の目的と効果は以下の通りである。
設置される風防が風防Ａ（１）のみの場合には、前方より来た風は短い区間で急激に進行方向を変えられるため、風防Ａ（１）の左右長（１８）が短いと、前方から来た風が風防（１）後端から耳穴（５）方向に回り込み乱流が発生しやすい。従って、耳穴（５）付近が静かになるためには、風防Ａ（１）の左右長（１８）を長くする必要がある。左右長（１８）を増大させることは、美観を損ない空気抵抗増加の原因となる。また、風が風防Ａ（１）前縁に衝突して音が発生し、これが耳穴（５）の近くで発生するため、遮音板（２）は高い遮音性能が要求されて重厚長大となる。
風防Ｂ（２５）を設置した場合は、風の進行方向が緩やかに変えられるので、風防Ａ（１）の左右長（１８）が短くても前述の乱流発生は抑えられる。
また、前方から来た風が風防Ｂ（２６）前縁に衝突する音が発生するわけであるが、この音の発生する場所が風防Ａ（１）のみ設置の場合と比べて耳穴（５）から遠い。このため衝突音が耳穴（５）に伝わりにくくなり、遮音板（２）の小型化、簡素化、あるいは設置省略が可能となる。
使用者がヘルメット（３）を着用して頭部を前傾させる状況においては、風防Ｂ（２５）の設置は、以下の理由により更に有効な手段となる。
第２３図に示すとおり、風防Ｂ（２５）がない場合、ヘルメット（３）の帽体表面を通過した風がヘルメット下端（２６）で曲がって使用者のこめかみ部分（２７）に回り込み、再び風防Ａ（１）の前縁（２８）に衝突する。
市販されているヘルメット帽体の厚みは２ないし３ｃｍであり、風防Ａ（１）の多くは左右長（１８）が３ｃｍ程度である。ヘルメット下端（２６）から風防Ａ（１）の最も左右方向に突き出た部分までの空間を風防Ｂ（２５）が埋めた場合、第２４図に示すとおり、前方から来た風は耳付近での急激な進路変更がなく、風防Ａ（１）にも風防Ｂ（２５）にも衝突しない。つまり、使用者がヘルメット（３）を着用して頭部を前傾させる状況においては、風防Ｂ（２５）は風切り音発生原因の二つを完全に消滅させる効果を有するわけである。
本発明において、風防Ｂ（２５）は風防Ａ（１）、遮音板（２）と併用することを前提としているが、この片方または両者が欠けても風防Ｂ（２５）が消音効果を有することは、言うまでもない。
こめかみ部（２７）に風切り音を軽減する装置を設置する方法は、アメリカ特許６，０２９，７６９にある。この発明の作用は、装置付近の乱流をｓｈａｐｅｄ  ｆｉｂｅｒ  ｆｉｌｔｅｒによって層流に変換し、後方に流すことである。本発明における風防Ｂ（２５）の役割は、前方から来た風を使用者の頭部側面から数ｃｍ離して通過させることである。よって、両者は目的が異なる。
【発明を実施するための最良の形態】
【０００６】
風防Ａ（１）、遮音板（２）の支持方法は、後述実施例にて示す。それ以外の要点は、下記１から１４にて示す。
１．風防Ａ（１）及び遮音板（２）は、使用者の頭部側面に接し、耳穴（５）の前方に取り付けられる。耳穴（５）に近づけられるほど良い。
２．風防Ａ（１）及び遮音板（２）の形状は、平らな、或いは湾曲、屈曲した板状を基本形状とする。過度な乱流発生を招かなければ、板状でなくてもよい。
３．風防Ａ（１）、遮音板（２）の取り付け向きは、外側にまっすぐに向ける、後ろに傾ける、更に途中で湾曲、屈曲する、の３通りある。これを組み合わせた代表的な例を図１５、１６、１７、１８にて示す。これらの図は、耳穴（５）の高さの断面図である。簡単の為、後述の実施例およびそれを示す図面においては、一つの実施例につき、一つの取り付け向きのみを示す。
４．風防Ａ（１）の上下方向の大きさは、３ｃｍ以上とする。最大大きさは、定めないが、耳たぶ（４）の上端および下端から２ｃｍを越えて大きくしても、装置の効果は増大しない。後述の実施例１、２に示すように、ヘルメット（３）を支持点として装着する場合は、風防Ａ（１）の上端はヘルメット（３）に連結するのがよい。
５．風防Ａ（１）の左右方向の大きさは、１ｃｍ以上とする。５ｃｍを越えて大きくしても、装置の効果は増大しない。風防Ａ（１）の上下端にテーパーあるいは丸みを着けた場合には、その箇所が１ｃｍ未満になってもよい。
６．風防Ａ（１）の後端の位置は、図１５、１６に示す型では、耳穴（５）より前方となる。図１７、１８に示す型では、風防Ａ（１）の後端の位置はいくらでも伸ばしてもよい。ただし、耳たぶ（４）の前後長の中央を越える後方に位置しても、装置の効果は、大きくは増大しない。強い横風を考慮しない限り、中央を越える後方まで伸ばす必要はない。
７．遮音板（２）は、風防Ａ（１）と耳穴（５）の間を完全に遮る大きさを有することが望ましい。遮音板（２）は、前方から見て、風防Ａ（１）よりはみ出さないことが望ましい。風防Ａ（１）からはみ出す場合は、前方から見て上下外側とも、はみ出す量は５ｍｍ以内とする。
８．風防Ａ（１）、遮音板（２）は、両者の振動や変形によってお互いが接触しないものとする。
９．風防Ａ（１）および遮音板（２）が使用者頭部に接する場所には、５ｍｍ程度の隙間があってもよい。もちろん、隙間がないのが理想である。そのため、これらが頭部に接触する部分にやわらかい材料を用いる、或いは緩衝材を取り付けるとよい。更に、バネ機構、或いは風防Ａ（１）遮音板（２）自体の弾力によって、風防Ａ（１）遮音板（２）を使用者の頭部側面に密着させるとよい。
１０．  風防Ａ（１）、及び遮音板（２）の材料は、風圧と振動によって容易に変形しない程度の剛性が要求される。材料はゴム、軟質樹脂が適する。剛性不足の場合は、芯となる材料にて剛性を補う。走行中の振動や風圧で容易に位置を変えないよう、確実に固定する。
１１．  風防Ａ（１）および遮音板（２）に、眼鏡のつるを通す穴（７）を必要に応じて設ける。隙間から風が通過しないよう、スポンジ（８）で塞ぐとよい。使用者が眼鏡を着用しない場合は、つるを通す穴（７）を別部品にて塞いでおくとよい。
これは、後述の実施例３にて記す。
１２．  使用者の体格差に適応するよう、風防Ａ（１）および遮音板（２）の取り付け位置を調整する機構を設けるとよい。
１３．  簡略的な方法として、風防Ａ（１）と遮音板（２）を同一の連続した部材で作り、前方を風防の役割を果たす部位（１６）、後方を遮音板の役割を果たす部位（１７）とする方法がある。これが、本発明の請求項２に該当する。
１４．  同じく簡略的な方法として、遮音板（２）を風防Ａ（１）に取り付ける方法がある。この場合、両者を完全に貼り合わせるのではなく、両者の接触部分が出来るだけ少なくなるようにする。或いは、遮音板（２）を、支持棒を介して風防Ａ（１）に取り付ける方法がある。
上記１３、１４、二つの簡略的な方法においては、遮音板（２）が頭部側面に接することはなくなり、遮音板（２）は、風防Ａ（１）と耳穴（５）の面を完全に遮らなくなる。すなわち、７に記述されていることの例外となる。
なお、上記９、１０、１１、１２は、後述の風防Ｂ（２５）についても適用される。
風防Ｂ（２５）に関しては、以下の通りである。
１５．  風防Ｂ（２５）の前端を耳穴（５）中心より５ｃｍ以上前方に伸ばしたとき、前述の効果を発揮する。使用者がヘルメット（３）を着用している場合は、耳たぶ付近で風の流れが速いのは耳穴（５）中心より上の方なので、前方から見て風防Ｂ（２５）が風防Ａ（１）の全てを覆う必要はなく、下端は耳穴（５）中心から下方であればよい。上端はヘルメット下端に密着させるのが望ましく、離す場合はヘルメット（３）下端から５ｍｍ以内とする。
１６．  後述実施例７，８に示すように風防とヘルメット（３）を一体化させる場合は、風防に相当する部分の境界があいまいになる。そこで便宜上、耳穴（５）中心より前方は耳たぶ（４）付け根最上部（３０）から下を風防と考え、耳穴（５）中心より後方は耳穴（５）中心より下を風防と考える。耳穴（５）中心の前後で分けた理由は、後方は騒音対策上の必要ではなく装飾として風防が存在することがあるからである。以上、第２７図参照のこと。
１７．  後述実施例７、８に示すように風防Ａ（１）と風防Ｂ（２５）を一体化させて両者の区別がなくなる場合は、ＡＢが一体化された風防（３５）の後端は前述６が適用されるが、耳穴（５）中心あるいは耳たぶ最前部から前方でも、十分な風切り音軽減の効果が得られる。他のは、前述１５、１６の規定を適応する。
１８．  風防Ｂ（２６）の左右方向の厚さは、第２０、２１、２２図に示すとおり、前縁で薄くなるテーパーをつけると良い。ただし、第２４図に示す使用者の頭部が前傾した状況のみの風切り音軽減を目的とする場合は、このテーパーは不要である。
１９．  風防Ｂ（２５）の前縁が描く線は、第２０図に示すとおり、下方にいくに従って後方に向かう傾斜をつけるとよい。これは、前方から来た風を下方に進路を変えさせ、耳穴（５）付近を通過する風速を減じる効果がある。同時に、第２４図に示す使用者の頭部が前傾した状況では、ヘルメット（３）の下端（２６）より下を通過する風が風防Ｂ（２５）の前縁に当たって騒音源となるのを避ける効果を有する。第２７、２８、２９、３０図に示すとおり、美観追求目的でこれを屈曲または湾曲させることも可能である。なお、アメリカ特許６，０２９，７６９では、ｓｈａｐｅｄ  ｆｉｂｅｒ  ｆｉｌｔｅｒが風防Ｂ（２５）前縁と同様の傾斜をしているが、ｏｕｔｅｒ  ａｂｕｔｍｅｎｔｓによって風が下方に流れるのを遮られており、上記の効果は有しない。
２０．  風防Ａ（１）、風防Ｂ（２５）、ヘルメット（３）、使用者頭部がそれぞれ接近または接触する場所は、隙間や段差が少ないほど望ましく、大きくとも１ｃｍ、できれば５ｍｍ以下に抑える。
２１．  風防Ｂ（２６）は、ヘルメット（３）下端に連結して支持するのが望ましい。着脱機構や位置調整機構を設けると、更に良い。材料の一部または全部に熱可塑性エラストマーを用いると、使用者または販売店にて使用者の頭部形状に合わせた、形状の微調整ができる。熱可塑性エラストマーの使用は、風防Ａ（１）遮音板（２）についても適用できる。
【図面の簡単な説明】
【０００７】
図１、２、３に実施例１を示す。
図１は、側面図である。これは頭部全体を示す。図２は、側面図である。これは装置周辺の拡大図である。図３は、正面図である。左側の装置のみを示す。風防Ａ（１）遮音板（２）の向きは、図１６とする。
図４、５に実施例２を示す。図４は、側面図を示す。図５は、図４に示すＡ−Ａ断面図を示す。使用者の頭部は省いてある。装置周辺を実寸より拡大して示す。部品間の隙間を実際より大きく描いてある。風防Ａ（１）遮音板（２）の向きは、図１５とする。
図６、７、８に実施例３を示す。図６は、実施例３の側面図を示す。これは、全体図である。図７は側面図を示す。これは、装置周辺の拡大図である。図８は、実施例３の正面図を示す。顎紐（６）とマジックテープ（１５）は実際より厚目に描いてある。頭部側面と顎紐（６）の間、および、マジックテープ（１５）両面の間は、実際は密着しているが、図面ではやや浮き上がらせて描いてある。図６のＢ−Ｂ断面は、図１６である。
図９、１０、１１に実施例４を示す。図９は、側面図を示す。これは、全体図である。図１０は、後方からの正面図を示す。ヘルメット（３）、及び使用者頭部を省略してある。図１１は、図９のＣ−Ｃ断面図を示す。使用者頭部は省略してある。
図１２は、風防Ａ（１）の大きさの計り方を示す正面図である。図面左側の風防Ａ（１）は、最大大きさであり、図面右側の風防Ａ（１）は最小大きさである。
図１３は、遮音板２が風防Ａ（１）からはみ出す量の計り方を示す正面図である。
図１４は、風防Ａ（１）の後端の位置と、耳たぶ（４）の前後長の計り方を示す側面図である。簡単の為、遮音板（２）と顎紐（６）は省略してある。
図１５、１６、１７、１８は、風防Ａ（１）および遮音板（２）の向きの、代表的な４例を示す、耳穴（５）の高さでの断面図である。例えば、図１６は図６のＢ−Ｂ断面図を示している。
第１９図に実施例５を示す。これは、側面図である。第２０、２１、２２図に第１９図の断面を示す。第２０図がＤ−Ｄ断面であり、第２１図がＥ−Ｅ断面であり、第２２図がＦ−Ｆ断面である。簡単のため、切断面のみを示した。
第２３図に風防Ａ（１）遮音板（２）のみを設置し風防Ｂ（２５）を備えず、使用者頭部が前傾した状態での、耳周辺の風の流れを示す。第２４図に風防Ｂ（２５）を備えて、使用者頭部が前傾した状態での、耳周辺の風の流れを示す。
第２５、２６、２７図に風防Ｂ（２５）の各部寸法を測る方法を示す。第２５図は正面図であり、耳たぶ（４）の付け根最上部を示す。第２６図は風防Ｂ（２５）の基本寸法の測り方であり、第２７図は境界があいまいな場合に風防Ｂ（２５）を規定する方法である。
第２８図に実施例６を示す。
第２９図に実施例７を示す。
第３０図に実施例８を示す。
第３１、３２図に実施例９を示す。第３１図が側面図である。第３２図は第３１図のＧ−Ｇ断面であり、簡単のため切断面のみを示した。
【符号の説明】
【０００８】
１    風防Ａ
２    遮音板
３    ヘルメット
４    使用者耳たぶ
５    使用者耳穴
６    顎紐
７    眼鏡のつるを通す穴
８    スポンジ
９    頭髪
１０    着脱用つまみ
１１    脱落防止機構
１２ａ  台座Ａ
１２ｂ  台座Ａの断面
１３    ヘルメット断面
１４    台座Ｂ
１５    マジックテープ
１６    風防の役目を果たす部位
１７    遮音板の役目を果たす部位
１８    風防Ａ（１）の寸法、左右方向最大値、及び最小値の計り方
１９    風防Ａ（１）の寸法、上下方向最大値の計り方
２０    風防Ａ（１）の寸法、上下方向最小値の計り方
２１    遮音板（２）が風防Ａ（１）よりはみ出す量、左右方向の計り方
２２    遮音板（２）が風防Ａ（１）よりはみ出す量、上下方向の計り方
２３    耳たぶ（４）の前後長の計り方
２４    風防Ａ（１）後端の位置
２５    風防Ｂ
２６    ヘルメット（３）の下端
２７    使用者こめかみ部
２８    風防Ａ（１）の前縁
２９    前傾姿勢を取ったときに耳付近を流れる風の進路
３０    耳たぶ（４）付け根の最上部の高さ
３１    耳穴（５）中心の高さ
３２    風防Ｂ（２５）の下端
３３    耳穴（５）中心の前後位置
３４    風防Ｂ（２５）の前端位置
３５    風防Ａ（１）と風防Ｂ（２５）を一体化させた風防
３６    風防Ｂ（２５）とみなす部分のうち、耳穴（５）中心より前方の区画
３７    風防Ｂ（２５）とみなす部分のうち、耳穴（５）中心より後方の区画
３８    ヘルメット（３）に一体化された風防Ａ（１）と風防Ｂ（２５）の役割を担う部位
３９    ヘルメット（３）に一体化された風防Ｂ（２５）の役割を担う部位
【実施例１】
【０００９】
ヘルメット（３）の帽体下端に風防Ａ（１）と遮音板（２）を取り付ける。この方式は、細い顎紐を備えた、耳より上のみを覆うヘルメットに適する。自転車用ヘルメット、および一部のオートバイ用ヘルメットがこれに該当する。
【実施例２】
【００１０】
実施例１の装置に、風防Ａ（１）および遮音板（２）の着脱機能を加えたものである。台座Ａ（１２）を介して風防Ａ（１）および遮音板（２）をヘルメット（３）に連結し、脱落防止機構（１１）によって、固定される。装置を使用しないときは、着脱用つまみ（１０）を押し下げて、装置を取り外す。
【実施例３】
【００１１】
ヘルメット（３）の顎紐（６）に風防Ａ（１）と遮音板（２）を固定する。この方式は、幅広の帯状顎紐を備えた、耳より上のみを覆うヘルメットに適する。競馬用ヘルメット、一部のオートバイ用ヘルメットがこれに該当する。
装置を着脱可能とすると、なお良い。図面に示した例では、台座Ｂ（１４）に風防Ａ（１）と遮音板（２）を取り付け、台座Ｂ（１４）を顎紐（６）にマジックテープ（１５）で固定する方法を取った。これにより、装置の着脱が可能となっている。
【実施例４】
【００１２】
ヘルメットを着用しない使用者に対しては、ヘッドフォンのようにアーチ状の支持具を用いて装置を固定する方法がある。
【実施例５】
【００１３】
ヘルメット（３）に風防Ａ（１）、遮音板（２）、風防Ｂ（２５）を装着した例を第１９図に示す。ヘルメット（３）に風防Ｂ（２５）を固定する。
【実施例６】
【００１４】
前述実施例５の風防Ａ（１）と風防Ｂ（２５）を一体化したものである。図面に示した例は、風防Ａ（１）に相当する部分の断面形状は、第＊図のものである。
【実施例７】
【００１５】
風防Ａ（１）と風防Ｂ（２５）とヘルメット（３）を一体化したものである。
【実施例８】
【００１６】
風防Ｂ（２５）とヘルメット（３）を一体化したものである。風防Ｂによってある程度の風切り音軽減の効果が得られるため、普段は風防Ａ（１）や遮音板（２）を取り外してヘルメット（３）を使用し、特に風切り音軽減を必要とする際のみにこれらを取り付ける、という使用法が可能である。
【実施例９】
【００１７】
分厚いあご紐を備えるヘルメット（３）に風防Ｂ（２５）と遮音板（２）のみを設置した例である。あご紐（６）が風防Ａ（１）の役割を担う。おおむね厚さ２ｃｍ以上のあご紐を備えたヘルメットに、この方法が有効となる。図面に示した例では遮音板（２）が設置されているが、設置しなくても十分な風切り音軽減効果が得られる場合もある。
【産業上の利用可能性】
【００１８】
本発明は、前方から来る定常的な風を受ける人物が聞く風切り音を取り除く作用を有する。これに該当する状況すべてが、利用可能分野となる。
主たる利用者は無蓋車両の搭乗者である。無蓋車両に搭乗する際は、頭部全体を覆うヘルメットを着用することが安全面で望ましい。しかし、耳が露出するヘルメットが選ばれる場合は已然、存在する。あるいは、ヘルメットを装着しない場合もある。よって、本発明は必要とされる。
これ以外に、強風下にての作業、前方に移動することが主となるスポーツが利用可能分野となる。
【図１】
2007077983.tif 000003
【図２】
2007077983.tif 000004
【図３】
2007077983.tif 000005
【図４】
2007077983.tif 000006
【図５】
2007077983.tif 000007
【図６】
2007077983.tif 000008
【図７】
2007077983.tif 000009
【図８】
2007077983.tif 000010
【図９】
2007077983.tif 000011
【図１０】
2007077983.tif 000012
【図１１】
2007077983.tif 000013
【図１２】
2007077983.tif 000014
【図１３】
2007077983.tif 000015
【図１４】
2007077983.tif 000016
【図１５】
2007077983.tif 000017
【図１６】
2007077983.tif 000018
【図１７】
2007077983.tif 000019
【図１８】
2007077983.tif 000020
【図１９】
2007077983.tif 000021
【図２０】
2007077983.tif 000022
【図２１】
2007077983.tif 000023
【図２２】
2007077983.tif 000024
【図２３】
2007077983.tif 000025
【図２４】
2007077983.tif 000026
【図２５】
2007077983.tif 000027
【図２６】
2007077983.tif 000028
【図２７】
2007077983.tif 000029
【図２８】
2007077983.tif 000030
【図２９】
2007077983.tif 000031
【図３０】
2007077983.tif 000032
【図３１】
2007077983.tif 000033
【図３２】
2007077983.tif 000034
【手続補正書】
【提出日】平成19年6月9日(2007.6.9)
【手続補正１】
【補正対象書類名】特許請求の範囲
【補正対象項目名】全文
【補正方法】変更
【補正の内容】
【特許請求の範囲】
【請求項１】
前方より定常的な風を耳たぶに受ける人物の耳付近に固定される風防Ａ（１）と遮音板（２）を備え、風防Ａ（１）、遮音板（２）とも左右それぞれに１枚以上を有し、風防Ａ（１）は人物の耳たぶ（４）前方を、或いは前方から側方にかけてを覆い、遮音板（２）は耳穴（５）と風防Ａ（１）の間に位置し、風防Ａ（１）と遮音板（２）は人物の耳たぶ（４）に接触することなく、使用時に人物の耳たぶ（４）が後方より見えることを特徴とする、風切り音を軽減する装置。
【請求項２】
前項目における風防Ａ（１）と遮音板（２）とが同一の連続した部材で作られており、その前方が風防の役割を果たす部位（１６）、後方が遮音板の役割を果たす部位（１７）となっていることを特徴とする、風切り音を軽減する装置。
【請求項３】
請求項１または同２に加えて、風防Ａ（１）の前方に風防Ｂ（２５）を備えていることを特徴とする、風切り音を軽減する装置。風防Ｂ（２５）は、その前縁の最前部が耳穴（５）の中心より５ｃｍ以上前方にあることを特徴とする。
【請求項４】
請求項３から風防Ａ（１）と遮音板（２）の片方、または両方を取り除いたことを特徴とする、風切り音を軽減する装置。
【請求項５】
請求項３において、風防Ａ（１）と風防Ｂ（２５）を一体化させた風防（３５）で置き換えたことを特徴とする、風切り音を軽減する装置。
【請求項６】
請求項５から遮音板（２）を取り除いたことを特徴とする、風切り音を軽減する装置。
【請求項７】
厚さ２ｃｍ以上の顎紐を備えるヘルメット（３）に風防Ｃを設置することを特徴とする、風切り音を軽減する装置。風防Ｃは顎紐の前方に設置され、その前縁の最前部が耳穴（５）の中心より５ｃｍ以上前方にあり、その前縁が描く線が下方にいくに従って後方に向かう傾斜を持つことを特徴とする。
【請求項８】
厚さ２ｃｍ以上の顎紐を備えるヘルメット（３）に風防Ｂ（２５）と遮音板（２）を設置することを特徴とする、風切り音を軽減する装置。
【請求項９】
請求項１より８において、一部または全部の風防および遮音板（２）が使用者の着用するヘルメットと一体化されていることを特徴とする風切り音を軽減する装置。
【請求項１０】
厚さ２ｃｍ以上の顎紐を備えるヘルメット（３）に遮音板（２）を設置すること、または、その遮音板（２）がヘルメット（３）と一体化されていることを特徴とする、風切り音を軽減する装置。
【手続補正書】
【提出日】平成19年12月5日(2007.12.5)
【手続補正１】
【補正対象書類名】明細書
【補正の内容】
2007077983.tif 000035
【手続補正書】
【提出日】平成20年3月3日(2008.3.3)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【書類名】 明細書
【発明の名称】
風切り音を軽減する装置
【技術分野】
【０００１】
本発明は、風防を用いて、無蓋の乗り物の搭乗者に聞こえる風切り音を軽減する装置に関するものである。
【背景技術】
【０００２】
以下の説明にて、左右、上下、前後なる方向を示す言葉は、頭部が直立した状態の使用者に本発明の装置を装着し、使用者にとっての各方向が装置の各方向を示すものとする。外側、内側なる表現は、使用者の体から遠い側を外側、近い側を内側とする。即ち、左耳付近に装着する部材に関しては左が外側、右が内側となる。頭部とは、首より上を指す。
周囲の音とは、使用者に聞える音のうち、使用者の耳付近で発生する音を除いた音のことである。
【０００３】
耳が露出した状態で無蓋の乗り物に乗る搭乗者には、前方より来る風がその耳たぶ（４）に当たる為、風切り音が聞こえる。これによって、以下２つの不都合が発生する。
１．周囲の音が聞えにくくなることにより、運転上の危険が増す。特に、後方からの車輛接近に気づかなくなることの影響が大きい。
２．常時、風切り音が聞えることが、搭乗者の心理的負担、或いは難聴の原因となる。
【０００４】
搭乗者の耳たぶ（４）全体をヘルメットの帽体、或いは布製、皮製のカバーで覆った場合、前項目で説明した風切り音は発生しない。しかし、周囲の音が聞き取りにくい、という不都合が発生する。また、使用者の耳付近の放熱性が悪いため、夏季にこれらを着用することは、苦痛となる。
上記で述べた耳たぶ（４）全体を覆う布製又は皮製のカバーには、耳穴（５）付近に音を通す穴を設けたモデルが存在する。日本実願平８−１１５５６号の請求項４は、その一例である。これらは、周囲の音が聞き取りにくいという不都合は解消される。しかし、使用者の耳付近の放熱性が悪いという欠点は依然として存在する。
アメリカ合衆国特許  ５，３２３，４９３号の請求項１、３においては、以下の欠点がある。即ち、
風防A（１）によって、耳たぶ（４）に当たる風は軽減され、装置不使用時に聞える風切り音は消える。しかし、風防A（１）が前方より来るに振動させられて高周波の音を発生し、それが使用者に聞えるという、新たな不都合が生じる。この音が聞えないようにするには、振動減衰性に優れた風防A（１）を作らなければならない。実際には十分な減衰性が得られず、高周波の音が発生して、それが使用者に聞こえることが多い。尚、本発明における風防A（１）は、同特許におけるａｉｒ  ｄｅｆｌｅｃｔｏｒに相当する。
【発明の開示】 
【発明が解決しようとする課題】
【０００５】
以下４つの特徴を備えることを、本発明装置の目的とする。
１．風切り音を軽減する。
２．周囲の音が減衰されることなく使用者の耳に届く。
３．使用者の耳付近の放熱性を確保する。
４．装置が新たな音を作り出した場合、それが使用者に聞こえないようにする。
【課題を解決するための手段】
【０００６】
使用者の耳（５）の前方に風防A（１）と遮音板（２）を設置し、固定する。風防A（１）は使用者の耳たぶ（４）を前方から、或いは前方から側方にかけて覆い、遮音板（２）は耳穴（５）と風防A（１）の間に位置する。耳全体を覆うカバーは、備えない。風防A（１）と遮音板（２）は耳たぶ（４）に接触しない。耳の大部分は外気に開放されており、使用者の耳たぶ（４）が後方より見えることを特徴とする。
必要に応じて、風防A（１）の前方かつヘルメット（３）の下方に風防B（２５）を加えて設置する。あるいは、風防Ｂ（２５）を設置し、風防Ａ（１）遮音板（２）の片方または両方を省略する。風防A（１）と風防Ｂ（２５）の差異は、後述の【発明を実施する為の最良の形態】、【実施例】にて記す。
【発明の効果】
【０００７】
前方より来る風は、風防A（１）によってせき止められ、使用者の耳たぶ（４）、耳穴（５）には到達しない。これにより、装置を使用する以前に聞えていた風切り音は消滅する。同時に副作用として、風防A（１）が前方より来る風によって振動させられ高周波数の音を発生する。
前方より来る風は風防A（１）にせき止められ、遮音板（２）には到達しない。従って、遮音板（２）は振動せず音を発生しない。前述の風防A（１）が振動して発生する音は、遮音板（２）で遮断され、使用者の耳穴（５）には到達しない。
以上の作用により、前方より来る風によって作られる音は、使用者に聞えない。
使用者の耳たぶ（４）の大部分が外気に開放されているので、付近の放熱性は確保される。同じ理由により、周囲の音は減衰されることなく使用者の耳穴（５）に届く。
アメリカ合衆国特許５，３２３，４９３  請求項１、３と比較した場合、本発明では風防A（１）が振動しても良い為、その軽量化、簡素化が実現できる。
副二次的な効果として、遮音板（２）の後ろ側が、使用者の後方で発生する音を反射するため、使用者には後方の音がよりよく聞える。同じく副二次的な効果として、風防A（１）と遮音板（２）が衝撃緩衝材となり、事故発生時に使用者の頭部側面を保護する作用がある。
【０００８】
風防B（２５）設置の目的と効果は以下の通りである。
設置される風防が風防A（１）のみの場合には、前方より来た風は短い区間で急激に進行方向を変えられるため、風防A（１）の左右長（１８）が短いと、前方から来た風が風防（１）後端から耳穴（５）方向に回り込み乱流が発生しやすい。従って、耳穴（５）付近が静かになるためには、風防A（１）の左右長（１８）を長くする必要がある。左右長（１８）を増大させることは、美観を損ない空気抵抗増加の原因となる。また、風が風防A（１）前縁に衝突して音が発生し、これが耳穴（５）の近くで発生するため、遮音板（２）は高い遮音性能が要求されて重厚長大となる。
風防B（２５）を設置した場合は、風の進行方向が緩やかに変えられるので、風防A（１）の左右長（１８）が短くても前述の乱流発生は抑えられる。
また、前方から来た風が風防Ｂ（２６）前縁に衝突する音が発生するわけであるが、この音の発生する場所が風防Ａ（１）のみ設置の場合と比べて耳穴（５）から遠い。このため衝突音が耳穴（５）に伝わりにくくなり、遮音板（２）の小型化、簡素化、あるいは設置省略が可能となる。
使用者がヘルメット（３）を着用して頭部を前傾させる状況においては、風防B（２５）の設置は、以下の理由により更に有効な手段となる。
第２３図に示すとおり、風防B（２５）がない場合、ヘルメット（３）の帽体表面を通過した風がヘルメット下端（２６）で曲がって使用者のこめかみ部分（２７）に回り込み、再び風防A（１）の前縁（２８）に衝突する。
市販されているヘルメット帽体の厚みは２ないし３ｃｍであり、風防Ａ（１）の多くは左右長（１８）が３ｃｍ程度である。ヘルメット下端（２６）から風防A（１）の最も左右方向に突き出た部分までの空間を風防B（２５）が埋めた場合、第２４図に示すとおり、前方から来た風は耳付近での急激な進路変更がなく、風防Ａ（１）にも風防Ｂ（２５）にも衝突しない。つまり、使用者がヘルメット（３）を着用して頭部を前傾させる状況においては、風防Ｂ（２５）は風切り音発生原因の二つを完全に消滅させる効果を有するわけである。
本発明において、風防B（２５）は風防A（１）、遮音板（２）と併用することを前提としているが、この片方または両者が欠けても風防B（２５）が消音効果を有することは、言うまでもない。
こめかみ部（２７）に風切り音を軽減する装置を設置する方法は、アメリカ特許６，０２９，７６９にある。この発明の作用は、装置付近の乱流をｓｈａｐｅｄ  ｆｉｂｅｒ  ｆｉｌｔｅｒによって層流に変換し、後方に流すことである。本発明における風防Ｂ（２５）の役割は、前方から来た風を使用者の頭部側面から数ｃｍ離して通過させることである。よって、両者は目的が異なる。
【発明を実施する為の最良の形態】
【０００９】
風防A（１）、遮音板（２）の支持方法は、後述【実施例】にて示す。それ以外の要点は、下記１から１４にて示す。
１．風防A（１）及び遮音板（２）は、使用者の頭部側面に接し、耳穴（５）の前方に取り付けられる。耳穴（５）に近づけられるほど良い。
２．風防A（１）及び遮音板（２）の形状は、平らな、或いは湾曲、屈曲した板状を基本形状とする。過度な乱流発生を招かなければ、板状でなくてもよい。
３．風防A（１）、遮音板（２）の取り付け向きは、外側にまっすぐに向ける、後ろに傾ける、更に途中で湾曲、屈曲する、の3通りある。これを組み合わせた代表的な例を図１５、１６、１７、１８にて示す。これらの図は、耳穴（５）の高さの断面図である。簡単の為、後述の実施例およびそれを示す図面においては、一つの実施例につき、一つの取り付け向きのみを示す。
４．風防A（１）の上下方向の大きさは、３ｃｍ以上とする。最大大きさは、定めないが、耳たぶ（４）の上端および下端から２ｃｍを越えて大きくしても、装置の効果は増大しない。後述の実施例１、２に示すように、ヘルメット（３）を支持点として装着する場合は、風防A（１）の上端はヘルメット（３）に連結するのがよい。
５．風防A（１）の左右方向の大きさは、１ｃｍ以上とする。５ｃｍを越えて大きくしても、装置の効果は増大しない。風防A（１）の上下端にテーパーあるいは丸みを着けた場合には、その箇所が１ｃｍ未満になってもよい。
６．風防A（１）の後端の位置は、図１５、１６に示す型では、耳穴（５）より前方となる。図１７、１８に示す型では、風防A（１）の後端の位置はいくらでも伸ばしてもよい。ただし、耳たぶ（４）の前後長の中央を越える後方に位置しても、装置の効果は、大きくは増大しない。強い横風を考慮しない限り、中央を越える後方まで伸ばす必要はない。
７．遮音板（２）は、風防A（１）と耳穴（５）の間を完全に遮る大きさを有することが望ましい。遮音板（２）は、前方から見て、風防A（１）よりはみ出さないことが望ましい。風防A（１）からはみ出す場合は、前方から見て上下外側とも、はみ出す量は５ｍｍ以内とする。
８．風防A（１）、遮音板（２）は、両者の振動や変形によってお互いが接触しないものとする。
９．風防A（１）および遮音板（２）が使用者頭部に接する場所には、５ｍｍ程度の隙間があってもよい。もちろん、隙間がないのが理想である。そのため、これらが頭部に接触する部分にやわらかい材料を用いる、或いは緩衝材を取り付けるとよい。更に、バネ機構、或いは風防A（１）遮音板（２）自体の弾力によって、風防A（１）遮音板（２）を使用者の頭部側面に密着させるとよい。
１０．風防A（１）、及び遮音板（２）の材料は、風圧と振動によって容易に変形しない程度の剛性が要求される。材料はゴム、軟質樹脂が適する。剛性不足の場合は、芯となる材料にて剛性を補う。走行中の振動や風圧で容易に位置を変えないよう、確実に固定する。
１１．風防A（１）および遮音板（２）に、眼鏡のつるを通す穴（７）を必要に応じて設ける。隙間から風が通過しないよう、スポンジ（８）で塞ぐとよい。使用者が眼鏡を着用しない場合は、つるを通す穴（７）を別部品にて塞いでおくとよい。これは、後述の実施例３にて記す。
１２．使用者の体格差に適応するよう、風防A（１）および遮音板（２）の取り付け位置を調整する機構を設けるとよい。
１３．簡略的な方法として、風防A（１）と遮音板（２）を同一の連続した部材で作り、前方を風防の役割を果たす部位（１６）、後方を遮音板の役割を果たす部位（１７）とする方法がある。これが、本発明の請求項２に該当する。
１４．同じく簡略的な方法として、遮音板（２）を風防A（１）に取り付ける方法がある。この場合、両者を完全に貼り合わせるのではなく、両者の接触部分が出来るだけ少なくなるようにする。或いは、遮音板（２）を、支持棒を介して風防A（１）に取り付ける方法がある。
上記１３、１４、二つの簡略的な方法においては、遮音板（２）が頭部側面に接することはなくなり、遮音板（２）は、風防A（１）と耳穴（５）の間を完全に遮らなくなる。すなわち、７に記述されていることの例外となる。
なお、上記９、１０、１１、１２は、後述の風防Ｂ（２５）についても適用される。
【００１０】
風防B（２５）に関しては、以下の通りである。
１５．風防Ｂ（２５）の前端を耳穴（５）中心より５ｃｍ以上前方に伸ばしたとき、前述の効果を発揮する。使用者がヘルメット（３）を着用している場合は、耳たぶ付近で風の流れが速いのは耳穴（５）中心より上の方なので、前方から見て風防Ｂ（２５）が風防A（１）の全てを覆う必要はなく、下端は耳穴（５）中心から下方であればよい。上端はヘルメット下端に密着させるのが望ましく、離す場合はヘルメット（３）下端から５ｍｍ以内とする。
１６．後述実施例７，８に示すように風防とヘルメット（３）を一体化させる場合は、風防に相当する部分の境界があいまいになる。そこで便宜上、耳穴（５）中心より前方は耳たぶ（４）付け根最上部（３０）から下を風防と考え、耳穴（５）中心より後方は耳穴（５）中心より下を風防と考える。耳穴（５）中心の前後で   分けた理由は、後方は騒音対策上の必要ではなく装飾として風防が存在すること があるからである。以上、第２７図参照のこと。
１７．後述実施例７、８に示すように風防Ａ（１）と風防Ｂ（２５）を一体化させて両者の区別がなくなる場合は、ABが一体化された風防（３５）の後端は前述６が適用されるが、耳穴（５）中心あるいは耳たぶ最前部から前方でも、十分な風切り音軽減の効果が得られる。他は、前述１５、１６の規定を適応する。  
１８．風防Ｂ（２６）の左右方向の厚さは、第２０、２１、２２図に示すとおり、前縁で薄くなるテーパーをつけると良い。ただし、第２４図に示す使用者の頭部が前傾した状況のみの風切り音軽減を目的とする場合は、このテーパーは不要である。  
１９．風防Ｂ（２５）の前縁が描く線は、第２０図に示すとおり、下方にいくに従って後方に向かう傾斜をつけるとよい。これは、前方から来た風を下方に進路を変えさせ、耳穴（５）付近を通過する風速を減じる効果がある。同時に、第２４図に示す使用者の頭部が前傾した状況では、ヘルメット（３）の下端（２６）より下を通過する風が風防Ｂ（２５）の前縁に当たって騒音源となるのを避ける効果を有する。第２７、２８、２９、３０図に示すとおり、美観追求目的でこれを屈曲または湾曲させることも可能である。なお、アメリカ特許６，０２９，７６９では、ｓｈａｐｅｄ  ｆｉｂｅｒ  ｆｉｌｔｅｒが風防Ｂ（２５）前縁と同様の傾斜をしているが、ｏｕｔｅｒ  ａｂｕｔｍｅｎｔｓによって風が下方に流れるのを遮られており、上記の効果は有しない。  
２０．風防A（１）、風防B（２５）、ヘルメット（３）、使用者頭部がそれぞれ接近または接触する場所は、隙間や段差が少ないほど望ましく、大きくとも１ｃｍ、できれば５ｍｍ以下に抑える。  
２１．風防B（２６）は、ヘルメット（３）下端に連結して支持するのが望ましい。着脱機構や位置調整機構を設けると、更に良い。材料の一部または全部に熱可塑性エラストマーを用いると、使用者または販売店にて使用者の頭部形状に合わせた、形状の微調整ができる。熱可塑性エラストマーの使用は、風防Ａ（１）遮音板（２）についても適用できる。  
【図の簡単な説明】
【００１１】
図１、２、３に実施例１を示す。
図１は、側面図である。これは頭部全体を示す。図２は、側面図である。これは装置周辺の拡大図である。図３は、正面図である。左側の装置のみを示す。風防A（１）遮音板（２）の向きは、図１６とする。
【００１２】
図４、５に実施例２を示す。図４は、側面図を示す。図５は、図４に示すＡ−Ａ断面図を示す。使用者の頭部は省いてある。装置周辺を実寸より拡大して示す。部品間の隙間を実際より大きく描いてある。風防A（１）遮音板（２）の向きは、図１５とする。
【００１３】
図６、７、８に実施例３を示す。図６は、実施例３の側面図を示す。これは、全体図である。図７は側面図を示す。これは、装置周辺の拡大図である。図８は、実施例３の正面図を示す。顎紐（６）とマジックテープ（１５）は実際より厚目に描いてある。頭部側面と顎紐（６）の間、および、マジックテープ（１５）両面の間は、実際は密着しているが、図面ではやや浮き上がらせて描いてある。図６のＢ−Ｂ断面は、図１６である。
【００１４】
図９、１０、１１に実施例４を示す。図９は、側面図を示す。これは、全体図である。図１０は、後方からの正面図を示す。ヘルメット（３）、及び使用者頭部を省略してある。図１１は、図９のC−C断面図を示す。使用者頭部は省略してある。
【００１５】
図１２は、風防A（１）の大きさの計り方を示す正面図である。図面左側の風防A（１）は、最大大きさであり、図面右側の風防A（１）は最小大きさである。
図１３は、遮音板２が風防A（１）からはみ出す量の計り方を示す正面図である。
図１４は、風防A（１）の後端の位置と、耳たぶ（４）の前後長の計り方を示す側面図である。簡単の為、遮音板（２）と顎紐（６）は省略してある。
【００１６】
図１５、１６、１７、１８は、風防A（１）および遮音板（２）の向きの、代表的な４例を示す、耳穴（５）の高さでの断面図である。例えば、図１６は図６のB−B断面図を示している。
【００１７】
第１９図に実施例５を示す。これは、側面図である。第２０、２１、２２図に第１９図の断面を示す。第２０図がＤ−Ｄ断面であり、第２１図がＥ−Ｅ断面であり、第２２図がＦ−Ｆ断面である。簡単のため、切断面のみを示した。
【００１８】
第２３図に風防Ａ（１）遮音板（２）のみを設置し風防Ｂ（２５）を備えず、使用者頭部が前傾した状態での、耳周辺の風の流れを示す。第２４図に風防B（２５）を備えて、使用者頭部が前傾した状態での、耳周辺の風の流れを示す。
【００１９】
第２５、２６、２７図に風防B（２５）の各部寸法を測る方法を示す。第２５図は正面図であり、耳たぶ（４）の付け根最上部を示す。第２６図は風防B（２５）の基本寸法の測り方であり、第２７図は境界があいまいな場合に風防B（２５）を規定する方法である。
【００２０】
第２８図に実施例６を示す。
第２９図に実施例７を示す。
第３０図に実施例８を示す。
【００２１】
第３１、３２図に実施例９を示す。第３１図が側面図である。第３２図は第３１図のＧ−Ｇ断面であり、簡単のため切断面のみを示した。
【符号の説明】 
【００２２】
１    風防A
２    遮音板
３    ヘルメット
４    使用者耳たぶ
５    使用者耳穴
６    顎紐
７    眼鏡のつるを通す穴
８    スポンジ
９    頭髪
１０    着脱用つまみ
１１    脱落防止機構
１２ａ  台座Ａ
１２ｂ  台座Ａの断面
１３    ヘルメット断面
１４    台座Ｂ
１５    マジックテープ
１６    風防の役目を果たす部位
１７    遮音板の役目を果たす部位
１８    風防A（１）の寸法、左右方向最大値、及び最小値の計り方
１９    風防A（１）の寸法、上下方向最大値の計り方
２０    風防A（１）の寸法、上下方向最小値の計り方
２１    遮音板（２）が風防A（１）よりはみ出す量、左右方向の計り方
２２    遮音板（２）が風防A（１）よりはみ出す量、上下方向の計り方
２３    耳たぶ（４）の前後長の計り方
２４    風防A（１）後端の位置
２５    風防B
２６    ヘルメット（３）の下端
２７    使用者こめかみ部
２８    風防Ａ（１）の前縁
２９    前傾姿勢を取ったときに耳付近を流れる風の進路
３０    耳たぶ（４）付け根の最上部の高さ
３１    耳穴（５）中心の高さ
３２    風防B（２５）の下端
３３    耳穴（５）中心の前後位置
３４    風防B（２５）の前端位置
３５    風防A（１）と風防B（２５）を一体化させた風防
３６    風防B（２５）とみなす部分のうち、耳穴（５）中心より前方の区画
３７    風防B（２５）とみなす部分のうち、耳穴（５）中心より後方の区画
３８    ヘルメット（３）に一体化された風防A（１）と風防B（２５）の役割を担う部位
３９    ヘルメット（３）に一体化された風防B（２５）の役割を担う部位
【実施例】
【００２３】
実施例１
ヘルメット（３）の帽体下端に風防A（１）と遮音板（２）を取り付ける。この方式は、細い顎紐を備えた、耳より上のみを覆うヘルメットに適する。自転車用ヘルメット、および一部のオートバイ用ヘルメットがこれに該当する。
実施例２
実施例１の装置に、風防A（１）および遮音板（２）の着脱機能を加えたものである。台座Ａ（１２）を介して風防A（１）および遮音板（２）をヘルメット（３）に連結し、脱落防止機構（１１）によって、固定される。装置を使用しないときは、着脱用つまみ（１０）を押し下げて、装置を取り外す。
実施例３
ヘルメット（３）の顎紐（６）に風防A（１）と遮音板（２）を固定する。この方式は、幅広の帯状顎紐を備えた、耳より上のみを覆うヘルメットに適する。競馬用ヘルメット、一部のオートバイ用ヘルメットがこれに該当する。装置を着脱可能とすると、なお良い。図面に示した例では、台座Ｂ（１４）に風防A（１）と遮音板（２）を取り付け、台座B（１４）を顎紐（６）にマジックテープ（１５）で固定する方法を取った。これにより、装置の着脱が可能となっている。
実施例４
ヘルメットを着用しない使用者に対しては、ヘッドフォンのようにアーチ状の支持具を用いて装置を固定する方法がある。
実施例５
ヘルメット（３）に風防Ａ（１）、遮音板（２）、風防B（２５）を装着した例を第１９図に示す。ヘルメット（３）に風防B（２５）を固定する。
実施例６
前述実施例５の風防A（１）と風防B（２５）を一体化したものである。
実施例７
風防A（１）と風防B（２５）とヘルメット（３）を一体化したものである。
実施例８
風防Ｂ（２５）とヘルメット（３）を一体化したものである。風防Bによってある程度の風切り音軽減の効果が得られるため、普段は風防A（１）や遮音板（２）を取り外してヘルメット（３）を使用し、特に風切り音軽減を必要とする際のみにこれらを取り付ける、という使用法が可能である。
実施例９
分厚いあご紐を備えるヘルメット（３）に風防Ｂ（２５）と遮音板（２）のみを設置した例である。あご紐（６）が風防A（１）の役割を担う。おおむね厚さ２ｃｍ以上のあご紐を備えたヘルメットに、この方法が有効となる。図面に示した例では遮音板（２）が設置されているが、設置しなくても十分な風切り音軽減効果が得られる場合もある。
【産業上の利用可能性】
【００２４】
本発明は、前方から来る定常的な風を受ける人物が聞く風切り音を取り除く作用を有する。これに該当する状況すべてが、利用可能分野となる。
主たる利用者は無蓋車両の搭乗者である。無蓋車両に搭乗する際は、頭部全体を覆うヘルメットを着用することが安全面で望ましい。しかし、耳が露出するヘルメットが選ばれる場合は已然、存在する。あるいは、ヘルメットを装着しない場合もある。よって、本発明は必要とされる。
これ以外に、強風下にての作業、前方に移動することが主となるスポーツが利用可能分野となる。
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
使用者の耳たぶが前方より受ける風を耳たぶの前方で遮る風防と、前記風防の振動によって発生する音を風防と耳穴との間で遮断する遮音板とを備えたことを特徴とする、風切り音を軽減する装置。
【請求項２】
前記風防と前記遮音板とを前後に分離し、使用者が着用するヘルメットに設けたことを特徴とする、請求項１記載の風切り音を軽減する装置。
【請求項３】
前記風防を前記ヘルメットの顎紐に設けたことを特徴とする、請求項２記載の風切り音を軽減する装置。
【手続補正２】
【補正対象書類名】明細書
【補正対象項目名】０００９
【補正方法】変更
【補正の内容】
【０００９】  風防Ａ（１）、遮音板（２）の支持方法は、後述［実施例］にて示す。それ以外の要点は、下記１から１４にて示す。
１．風防Ａ（１）及び遮音板（２）は、使用者の頭部側面に接し、耳穴（５）の前方に取り付けられる。耳穴（５）に近づけられるほど良い。
２．風防Ａ（１）及び遮音板（２）の形状は、平らな、或いは湾曲、屈曲した板状を基本形状とする。過度な乱流発生を招かなければ、板状でなくてもよい。
３．風防Ａ（１）、遮音板（２）の取り付け向きは、外側にまっすぐに向ける、後ろに傾ける、更に途中で湾曲、屈曲する、の３通りある。これを組み合わせた代表的な例を図１５、１６、１７、１８にて示す。これらの図は、耳穴（５）の高さの断面図である。簡単の為、後述の実施例およびそれを示す図面においては、一つの実施例につき、一つの取り付け向きのみを示す。
４．風防Ａ（１）の上下方向の大きさは、３ｃｍ以上とする。最大大きさは、定めないが、耳たぶ（４）の上端および下端から２ｃｍを越えて大きくしても、装置の効果は増大しない。後述の実施例１、２に示すように、ヘルメット（３）を支持点として装着する場合は、風防Ａ（１）の上端はヘルメット（３）に連結するのがよい。
５．風防Ａ（１）の左右方向の大きさは、１ｃｍ以上とする。５ｃｍを越えて大きくしても、装置の効果は増大しない。風防Ａ（１）の上下端にテーパーあるいは丸みを着けた場合には、その箇所が１ｃｍ未満になってもよい。
６．風防Ａ（１）の後端の位置は、図１５、１６に示す型では、耳穴（５）より前方となる。図１７、１８に示す型では、風防Ａ（１）の後端の位置はいくらでも伸ばしてもよい。ただし、耳たぶ（４）の前後長の中央を越える後方に位置しても、装置の効果は、大きくは増大しない。強い横風を考慮しない限り、中央を越える後方まで伸ばす必要はない。
７．遮音板（２）は、風防Ａ（１）と耳穴（５）の間を完全に遮る大きさを有することが望ましい。遮音板（２）は、前方から見て、風防Ａ（１）よりはみ出さないことが望ましい。風防Ａ（１）からはみ出す場合は、前方から見て上下外側とも、はみ出す量は５ｍｍ以内とする。
８．風防Ａ（１）、遮音板（２）は、両者の振動や変形によってお互いが接触しないものとする。
９．風防Ａ（１）および遮音板（２）が使用者頭部に接する場所には、５ｍｍ程度の隙間があってもよい。もちろん、隙間がないのが理想である。そのため、これらが頭部に接触する部分にやわらかい材料を用いる、或いは緩衝材を取り付けるとよい。更に、バネ機構、或いは風防Ａ（１）遮音板（２）自体の弾力によって、風防Ａ（１）遮音板（２）を使用者の頭部側面に密着させるとよい。
１０．風防Ａ（１）、及び遮音板（２）の材料は、風圧と振動によって容易に変形しない程度の剛性が要求される。材料はゴム、軟質樹脂が適する。剛性不足の場合は、芯となる材料にて剛性を補う。走行中の振動や風圧で容易に位置を変えないよう、確実に固定する。
１１．風防Ａ（１）および遮音板（２）に、眼鏡のつるを通す穴（７）を必要に応じて設ける。隙間から風が通過しないよう、スポンジ（８）で塞ぐとよい。使用者が眼鏡を着用しない場合は、つるを通す穴（７）を別部品にて塞いでおくとよい。これは、後述の実施例３にて記す。
１２．使用者の体格差に適応するよう、風防Ａ（１）および遮音板（２）の取り付け位置を調整する機構を設けるとよい。
１３．簡略的な方法として、風防Ａ（１）と遮音板（２）を同一の連続した部材で作り、前方を風防の役割を果たす部位（１６）、後方を遮音板の役割を果たす部位（１７）とする方法がある。
１４．同じく簡略的な方法として、遮音板（２）を風防Ａ（１）に取り付ける方法がある。この場合、両者を完全に貼り合わせるのではなく、両者の接触部分が出来るだけ少なくなるようにする。或いは、遮音板（２）を、支持棒を介して風防Ａ（１）に取り付ける方法がある。
上記１３、１４、二つの簡略的な方法においては、遮音板（２）が頭部側面に接することはなくなり、遮音板（２）は、風防Ａ（１）と耳穴（５）の間を完全に遮らなくなる。すなわち、７に記述されていることの例外となる。
なお、上記９、１０、１１、１２は、後述の風防Ｂ（２５）についても適用される。
【国際調査報告】
2007077983.tif 000036
2007077983.tif 000037
2007077983.tif 000038
2007077983.tif 000039
2007077983.tif 000040
2007077983.tif 000041
2007077983.tif 000042
2007077983.tif 000043